(57)【要約】    【課題】  簡便な工程で、余剰の接着剤を溜めるための接着剤溜りを形成することが可能な、構造体の製造方法の提供。    【解決手段】  少なくとも第１及び第２の基板を接着剤を介して接合する構造体の製造方法であって、当該第１の基板及び当該第２の基板に位置決めピンを挿入するための位置決め孔を形成する第１工程と、当該第１の基板又は当該第２の基板の少なくとも一方の当該位置決め孔の周囲にレーザを照射して接着剤溜りを形成する第２工程と、当該第１の基板及び当該第２の基板に各々形成された当該位置決め孔に当該位置決めピンを挿入し、当該第１の基板と当該第２の基板とを接着剤を介して接合する第３工程と、を含む、構造体の製造方法により、上記課題を解決する。【選択図】    図１
2006007570.tif 000002
【特許請求の範囲】
【請求項１】
少なくとも第１及び第２の基板を接着剤を介して接合する構造体の製造方法であって、
前記第１の基板及び前記第２の基板に位置決めピンを挿入するための位置決め孔を形成する第１工程と、
前記第１の基板又は前記第２の基板の少なくとも一方の前記位置決め孔の周囲にレーザを照射して接着剤溜りを形成する第２工程と、
前記第１の基板及び前記第２の基板に各々形成された前記位置決め孔に前記位置決めピンを挿入し、前記第１の基板と前記第２の基板とを接着剤を介して接合する第３工程と、
を含む、構造体の製造方法。
【請求項２】
前記第２工程が、前記位置決め孔の周縁を当該位置決め孔の形状に沿ってレーザを照射することにより、前記位置決め孔の周縁に接着剤溜りとしての段差部を形成する工程である、請求項１に記載の構造体の製造方法。
【請求項３】
前記第２工程が、前記位置決め孔の前記位置決めピンが接触する接触部周辺にレーザを照射することにより、接着剤溜りとしての段差部を形成する工程である、請求項１に記載の構造体の製造方法。
【請求項４】
少なくとも第１及び第２の基板を接着剤を介して接合する構造体の製造方法であって、
前記第１の基板及び前記第２の基板に位置決めピンを挿入するための位置決め孔を形成する第１工程と、
前記第１の基板又は前記第２の基板の少なくとも一方の基板の片面にエッチング保護膜を形成し、前記位置決め孔の周囲にレーザを照射して当該エッチング保護膜をパターニングする第２工程と、
前記パターニングした基板に、エッチング処理を行い、接着剤溜りを形成する第３工程と、
前記第１の基板及び前記第２の基板に各々形成された前記位置決め孔に前記位置決めピンを挿入し、前記第１の基板と前記第２の基板とを接着剤を介して接合する第４工程と、
を含む、構造体の製造方法。
【請求項５】
前記第２工程において、前記レーザを前記エッチング保護膜の表面上に集光させる手段が高開口数のレンズである、請求項４に記載の構造体の製造方法。
【請求項６】
前記構造体が、インクジェットヘッド、微小機械装置又は半導体装置である、請求項１乃至５のいずれかに記載の構造体の製造方法。
【発明の詳細な説明】
【技術分野】
【０００１】
本発明は、構造体の製造方法に関し、詳しくは、簡便な工程で、余剰の接着剤を溜めるための接着剤溜りを形成することが可能な構造体の製造方法に関する。
【背景技術】
【０００２】
インクジェットヘッド又は微小な機械部品と電子回路を集積したシステム（ＭＥＭＳ：Ｍｉｃｒｏ  Ｅｌｅｃｔｒｏ  Ｍｅｃｈａｎｉｃａｌ  Ｓｙｓｔｅｍｓ）等の各種デバイスを製造する際に、複数の基板を接合して形成する場合がある。この際、一般に、基板同士の位置決めを高精度かつ容易に行うために、各基板に位置決め孔を形成し、位置決めピンを挿入して位置決めが行われる。
【０００３】
しかし、複数の基板を接着剤で接着する場合、位置決め孔の内部へ余剰の接着剤がはみ出して位置決めピンが汚れたり、また、はみ出した接着剤が硬化して挿入した位置決めピンが外せない等の問題が生じる場合がある。また、同一の位置決め孔を複数回利用したい場合に、はみ出した接着剤が硬化して、次の位置決めピンを挿入し得ない場合がある。
【０００４】
このような問題を解決するために、様々な方法が採られている。例えば、特許文献１及び特許文献２には、余剰の接着剤を溜めるための段差部を位置決め孔の内周部に設け、接着剤がはみ出すのを防止する方法が開示されている。
【特許文献１】特開平８−１７４８２５号公報
【特許文献２】特開２００２−９６４７３号公報
【発明の開示】
【発明が解決しようとする課題】
【０００５】
しかしながら、これら従来の方法では、エッチングにより段差部を形成しているが、具体的な工程については開示されていない。通常、エッチングにより段差部を形成する場合、複数のエッチングパターンを形成する必要があり、二回以上のフォトリソグラフィー工程が必要となる。フォトリソグラフィー工程では、フォトレジストを塗布し、フォトマスクを通して紫外光等のフォトレジスト上に光を照射しマスクパターンを転写した後、現像を行うといった多くの工程が必要となる。したがって、作業工程が多く、作業工程数の増加に伴う歩留まりの低下や処理コストの増加を招く虞がある。
【０００６】
そこで、本発明は、簡便な工程で、余剰の接着剤を溜めるための接着剤溜りを形成することが可能な、構造体の製造方法を提供することを目的とする。
【課題を解決するための手段】
【０００７】
上記課題を解決すべく、少なくとも第１及び第２の基板を接着剤を介して接合する構造体の製造方法であって、上記第１の基板及び上記第２の基板に位置決めピンを挿入するための位置決め孔を形成する第１工程と、上記第１の基板又は上記第２の基板の少なくとも一方の上記位置決め孔の周囲にレーザを照射して接着剤溜りを形成する第２工程と、上記第１の基板及び上記第２の基板に各々形成された上記位置決め孔に前記位置決めピンを挿入し、上記第１の基板と上記第２の基板とを接着剤を介して接合する第３工程と、を含む、構造体の製造方法である。
【０００８】
これによれば、複数の基板の位置決め（アライメント）を行うための位置決め孔の少なくとも一方に、余剰の接着剤を溜めるための接着剤溜りをレーザにより形成するので、複数のフォトリソグラフィー工程を行う必要がなく、作業工程数を減らすことが可能となる。よって、歩留まりよく、安価に複数の基板を接合した構造体を得ることが可能となる。
【０００９】
上記第２工程が、上記位置決め孔の周縁を当該位置決め孔の形状に沿ってレーザを照射することにより、上記位置決め孔の周縁に接着剤溜りとしての段差部を形成する工程であってもよい。これによれば、位置決め孔の形状に沿って加工をするので、新たなパターンを形成する必要もなく、容易に加工が可能となる。
【００１０】
上記第２工程が、上記位置決め孔の上記位置決めピンが接触する接触部周辺部にレーザを照射することにより、接着剤溜りとしての段差部を形成する工程であってもよい。これによれば、位置決め孔の位置決めピンと接触する接触部を含む周辺（近傍）領域にのみ、接着剤溜りとしての段差部を形成するので、加工に必要なエネルギーを低減することが可能となり、構造体の製造の低コスト化を図ることが可能となる。
【００１１】
本発明の他の態様は、少なくとも第１及び第２の基板を接着剤を介して接合する構造体の製造方法であって、上記第１の基板又は上記第２の基板に位置決めピンを挿入するための位置決め孔を形成する第１工程と、上記第１の基板又は上記第２の基板の少なくとも一方の基板の片面にエッチング保護膜を形成し、上記位置決め孔の周囲にレーザを照射して当該エッチング保護膜をパターニングする第２工程と、上記パターニングした基板に、エッチング処理を行い、接着剤溜りを形成する第３工程と、上記第１の基板及び上記第２の基板に各々形成された上記位置決め孔に前記位置決めピンを挿入し、上記第１の基板と上記第２の基板とを接着剤を介して接合する第４工程と、を含む、構造体の製造方法である。
【００１２】
これによれば、エッチング保護膜のパターニングをフォトリソグラフィーの代わりにレーザにより行うので、作業工程数を低減することが可能である。
【００１３】
上記第２工程において、上記レーザを上記エッチング保護膜の表面上に集光させる手段が高開口数のレンズであることが好ましい。
【００１４】
高開口数のレンズを使用することで、焦点深度を短くすることが可能となるので、加工するエッチング保護膜の下層に与えるレーザ照射の影響を低減することが可能となる。
【００１５】
本発明の構造体の製造方法は、例えば、インクジェットヘッド、微小機械装置又は半導体装置等の製造に好適に使用される。
【発明を実施するための最良の形態】
【００１６】
（第一の実施形態）
本実施形態に係る構造体の製造方法について、インクジェットヘッドの製造方法を例に採り、具体的に説明する。
【００１７】
図１は、本実施形態に係るインクジェットヘッドの一例を示す図である。また、図２は、本実施形態に係るインクジェットヘッドの製造方法を説明するための図である。本実施形態のインクジェットヘッドの製造方法について、図面を参照しながら説明する。
【００１８】
まず、図２（ａ）に示すように、位置決め孔１２を形成した加圧室基板１０を準備する。加圧室基板１０は、例えば一のシリコン単結晶基板上に複数の加圧室基板１０のパターンを露光して、異方性エッチングした後、各加圧室基板１０に分離することにより得られる。加圧室基板１０のパターンは、図１に示すように、複数の短冊状の加圧室１０２が設けられ、すべての加圧室１０２にインクを供給するための共通流路１０４を有するよう形成される。この際、位置決め孔１２も同時又は別個にパターニングしてエッチングすることにより形成する。位置決め孔１２の形状は、特に限定するものではなく、矩形状、円形状、平行四辺形状等のいずれの形状であってもよい。なお、位置決め孔１２は、エッチングによらず、レーザ照射により形成してもよい。
【００１９】
次に、加圧室基板１０と、別途位置決め孔１６が形成された流路基板１４とを接合する。流路基板１４には、加圧室基板１０の加圧室１０２と図示しないインクタンクとを接続する流路が形成されている。流路基板１４と加圧室基板１０とは、例えば接着剤等により接合する。
【００２０】
図２（ｂ）に示すように、加圧室基板１０に形成された位置決め孔１２の周囲にレーザを照射することにより、接着剤溜りとしての段差部１８を形成する。段差部１８は、後の工程でノズル基板２０を接合する際に、位置決め孔１２内にはみ出す余剰の接着剤を収容し得る大きさに段差高さＬ及び段差幅Ｄを適宜調整する。段差部１８の形成方法については、後に詳述する。なお、レーザ照射による飛散物（デブリ等）を除去するため、水等の液体中で加工を行ってもよい。また、レーザ加工後に、アンモニア水、ＫＯＨ水溶液、ＮａＯＨ水溶液等のアルカリ水溶液を用いて、飛散物の除去を行ってもよい。
【００２１】
次に、図２（ｃ）に示すような、位置決め孔２２を形成したノズル基板２０を準備する。図１中の符号１０６はノズル孔を示す。加圧室基板１０及びノズル基板２０に形成された位置決め孔１２及び２２に位置決めピン２６を挿入し、加圧室基板１０とノズル基板２０とを位置合わせしながら、接着剤２４を介して接合する。すると、図２（ｄ）に示すように、余剰の接着剤２４が段差部１８に収容されるので、位置決めピン２６に接着剤２４が付着するのを回避することが可能となる。また、接着剤２４が位置決め孔１２及び２２内に入り込むことがないので、繰り返し、この位置決め孔１２及び２２を位置合わせに使用することが可能となる。
【００２２】
その後、位置決めピン２６を引き抜き、図１に示すような基板１２０上に固定された基台１１４に、ノズル基板２０と加圧室基板１０と流路基板１４を貼り合せた接合体を取り付け、その後、枠体１２２により接合体を固定する。これにより、圧電駆動方式によるインクジェットヘッドを得ることができる。なお、基台１１４の振動しユニット収容孔１１０内には、複数の図示しない圧電振動子を固定して構成された振動子ユニット１０８が収容されている。また、基板１２０は、インクジェットヘッドを図示しないキャリッジに固定するためのものである。
【００２３】
次に、段差部１８の形成方法について説明する。
段差部１８を形成するための加工光学系は、固定光学系であってもスキャン光学系であってもよい。また、レーザ光学系は、結像光学系であっても集光光学系であってもよい。集光用固定光学系の場合には、被加工対象である加圧室基板１０を、Ｘ軸方向及びＹ軸方向に移動可能な移動テーブル等により移動することで、パターンを形成する。スキャン光学系では、例えばミラー又は光ファイバ等により集光側を移動することにより、パターンを形成する。また、結像光学系では、スリットやマスクパターンなどを被加工対象である加圧室基板１０表面に結像させて所望の形状を一括加工する。
【００２４】
段差部１８を形成するためのレーザ照射パターン（平面パターン）は特に限定されず、位置決め孔１２と略同形であってもよい。また、位置決め孔１２と異なる形状であってもよい。
【００２５】
図３乃至図６にレーザ照射パターンの例を示す。
図３（ａ）〜（ｃ）には、集光用固定光学系又はスキャン光学系による場合のレーザ照射パターンを示す。集光用固定光学系又はスキャンの場合には、レーザスキャンの軌跡４８ａ〜４８ｃの集合がレーザ照射パターンとなる。図３（ａ）〜（ｃ）に示すように、レーザスキャンによる場合には、位置決め孔１２に沿ってレーザ照射パターンを形成することが好ましい。これにより、加工時間を短縮させることが可能となる。集光用固定光学系又はスキャン光学系では、レーザのスポット径の大きさは特に限定するものではないが、スポット径を大きくすることで、スキャン回数を少なくすることが可能となる。また、集光用固定光学系又はスキャン光学系によれば、段差幅Ｄは、スキャン領域により定まるので、段差幅Ｄの調整が容易となる。また、レーザ光は、ビームスプリッタ、回折格子（位相格子）等により分岐して用いてもよい。分岐したビームを同時に走査することで、一本のレーザ光で照射する場合に比してスキャン回数を低減することが可能となり、加工時間の短縮化が図れる。
【００２６】
図４（ａ）〜（ｃ）及び図５（ａ）〜（ｃ）には、結像光学系による場合のレーザ照射パターンを示す。図４（ａ）〜（ｃ）に示すように、位置決め孔１２ａ〜１２ｃの形状が各々矩形状、円状、平行四辺形状（ひし形を含む）である場合に、結像光学系によるレーザ照射パターンは位置決め孔１２ａ〜１２ｃと略同形であって位置決め孔１２ａ〜１２ｃよりも大きなレーザ照射パターン５０ａ〜５０ｃであってもよい。これによれば、位置決め孔１２ａ〜１２ｃとレーザ照射パターン５０ａ〜５０ｃの位置合わせの精度が厳格に要求されないので、容易に位置決め孔１２ａ〜１２ｃの周囲（周縁）に一括して段差部１８を形成することができる。このような場合の照射ビームのエネルギー分布の調整法としては、特に限定するものではなく、例えば、位相格子、非球面レンズ、又は分布の異なる複数のビームを合成する方法等を用いることができる。また、段差幅Ｄはレーザ照射パターンにより定まるので、パターンを所望の段差幅Ｄに適宜調整する。
【００２７】
また、図５（ａ）〜（ｃ）に示すように、レーザ照射パターンを中空（枠状）のレーザ照射パターン５０ｄ〜５０ｆにしてもよい。これによれば、全体にレーザを照射する場合に比し、中抜けになっている分、段差部１８を形成するのに使用するレーザの光量が減るので、照射エネルギーを低減することが可能となる。なお、レーザ照射パターン５０ｄ〜５０ｆは、位置合わせを容易にし得るという観点から、位置決め孔１２ａ〜１２ｃまで多少被さる形状をしていることが好ましい。すなわち、枠の内側が位置決め孔１２ａ〜１２ｃを一部覆う大きさであることが好ましい。
【００２８】
図６（ａ）及び（ｂ）は、レーザ照射パターンの他の例を示す図である。図６（ａ）及び（ｂ）に示すように、段差部１８を、位置決め孔１２ａ、１２ｃと位置決めピン２６との接触部周辺５２ａ、５２ｂのみに形成してもよい。これにより、レーザ加工する面積を最小限に留めることが可能となるので、加工時間を短縮することが可能となり、また、インクジェットヘッドの製造コストを低減させることが可能となる。なお、この場合には、集光用固定光学系、スキャン光学系又は結像光学系のいずれを用いてもよい。
【００２９】
本実施形態によれば、レーザにより接着剤溜りとしての段差部１８を形成するため、エッチングのみで段差部１８を形成する場合に比較して、フォトリソグラフィー工程を複数回行う必要がなくなるので、製造工程数を低減することが可能となる。したがって、歩留まりよく、安価に複数の基板を接合したインクジェットヘッドを形成することが可能となる。
【００３０】
（第二の実施形態）
上記例では、直接レーザにより接着剤溜りとしての段差部を形成する例について説明した。本実施形態では、段差部をエッチングにより形成し、段差部を形成するためのエッチング保護膜のパターニングをレーザにより行う例について説明する。
【００３１】
図７は、第二の実施形態に係るインクジェットヘッドの製造方法を説明するための図である。
【００３２】
まず、図７（ａ）に示すように、図２（ａ）と同様の工程により、位置決め孔１２を備えた加圧室基板１０に位置決め孔１６を備えた流路基板１４を接合した複合体を準備する。
【００３３】
次に、図７（ｂ）に示すように、加圧室基板１０の上面にエッチング保護膜３０を形成する。エッチング保護膜３０としては、加圧室基板１０を後の工程でエッチングする際にエッチング液又はエッチングガスに対して耐性のある材料であれば特に限定されない。エッチング保護膜３０は、エッチング液又はエッチングガスの種類に応じて適宜選択され、ＳｉＮ、ＳｉＯ2、各種金属又は樹脂等が挙げられる。
【００３４】
次に、図７（ｃ）に示すように、エッチング保護膜３０を、レーザを照射することによりパターニングする。この際、用いられるレーザとしては上記第一の実施形態で説明したものと同様のものを用いることができ、エッチング保護膜３０を構成する材料、パターン形成方法等に応じて適宜選択される。また、レーザ照射パターン（平面パターン）及びレーザ照射方法についても第一の実施形態と同様のものを用いることができる。
【００３５】
次に、図７（ｄ）に示すように、エッチング処理を行い、段差部１８を形成する。エッチング処理は、エッチングガスを用いたドライエッチングであっても、エッチング液を用いたウェットエッチングであってもよい。符号３２は、エッチングガス又はエッチング液を示す。
【００３６】
その後、エッチング保護膜３０を除去し、図２（ｃ）及び図２（ｄ）と同様の工程により、ノズル基板２０を接着する（図７（ｅ）及び図７（ｆ））。その後、図１のように他の部品を取り付けることでインクジェットヘッドを形成することが可能となる。
【００３７】
本実施形態によれば、エッチング保護膜３０をフォトリソグラフィーによらず、レーザによりパターニングしているので、フォトリソグラフィーに伴う感光及び現像といった複数の工程を行う必要がなくなり、製造工程数を低減することが可能となる。したがって、歩留まりよく、安価に複数の基板を接合したインクジェットヘッドを形成することが可能となる。
【００３８】
なお、図８に示すように、エッチング保護膜３０の下層４０に、例えば金属薄膜や半導体素子等の機能性部位といった、レーザを照射したくない層が有る場合がある。このような場合には、レーザの集光光学系として高開口数のレンズ４２を用いるとよい。高開口数のレンズ４２を用いることで、焦点深度を短くなるので、所望の加工領域（ここでは、エッチング保護膜３０）以外の領域へのレーザの照射による影響を回避することが可能となる。レンズ４２の開口数は、エッチング保護膜３０から下層４０までの距離と、焦点深度との関係で適宜選択される。例えば、エッチング保護膜３０から下層４０までの距離が７０μｍである場合には、レンズ４２としては、開口数０．４以上のものを用いると、下層４０にレーザ照射による影響が及ぶことなく、エッチング保護膜３０のみを選択的に加工することができる。
【００３９】
なお、上記実施形態では、圧電駆動方式のインクジェットヘッドを例に採り説明したが、これに限定されず、静電駆動方式であっても、バブルジェット（登録商標）方式（サーマルインクジェット方式）であってもよい。また、本発明の構造体の製造方法は、インクジェットヘッドの製造方法に限定されず、例えば、複数の基板を位置合わせをしながら接合して形成する、ＭＥＭＳデバイス等の微小機械装置や半導体装置の製造方法にも好適に適用することができる。
【００４０】
また、上記例では、本発明の製造工程に用いられる基板として半導体基板（シリコン基板）を用いた場合を例に採り説明したが、これに限定されず、半導体基板の他、金属、セラミックス、ガラス又は樹脂等のレーザによる加工が可能な材料から構成される基板が用いられる。
【図面の簡単な説明】
【００４１】
【図１】図１は、本実施形態に係るインクジェットヘッドの一例を示す図である。
【図２】図２は、本実施形態に係るインクジェットヘッドの製造方法を説明するための図である。
【図３】図３は、集光用固定光学系又はスキャン光学系による場合のレーザ照射パターンを示す図である。
【図４】図４は、結像光学系による場合のレーザ照射パターンを示す図である。
【図５】図５は、結像光学系による場合のレーザ照射パターンを示す図である。
【図６】図６は、レーザ照射パターンの他の例を示す図である。
【図７】図７は、第二の実施形態に係るインクジェットヘッドの製造方法を説明するための図である。
【図８】図８は、本発明の構造体の製造方法の変形例を説明するための図である。
【符号の説明】
【００４２】
１０  加圧室基板、１２  位置決め孔、１２ａ〜１２ｃ  位置決め孔、１４  流路基板、１６  位置決め孔、１７  レーザ、１８  段差部、２０  ノズル基板、２２  位置決め孔、２４  接着剤、２６  位置決めピン、３０  エッチング保護膜、３２エッチング液（エッチングガス）、４０  下層、４２  レンズ、４８ａ〜４８ｃ  軌跡、５０ａ〜５０ｃ  レーザ照射パターン、５０ｄ〜５０ｆ  レーザ照射パターン、５２ａ  接触部周辺、１０２  加圧室、１０４  共通流路、１０６  ノズル孔、１０８  振動子ユニット、１１０  ユニット収容孔、１１４  基台、１２０  基板、１２２  枠体
【図１】
2006007570.tif 000003
【図２】
2006007570.tif 000004
【図３】
2006007570.tif 000005
【図４】
2006007570.tif 000006
【図５】
2006007570.tif 000007
【図６】
2006007570.tif 000008
【図７】
2006007570.tif 000009
【図８】
2006007570.tif 000010